(57)【要約】      （修正有）【課題】ベルト裏面に設けた係止凹凸部材と、該係止凹凸部材に係止してベルトを望む長さの環状に固定する爪部材との係合が、安定してなされ、確実にバックルとバンドとの固定が行われ故障なく永く使用出来るようにする。【解決手段】ベルト３の幅方向に向き平行する複数の凹凸よりなる係止凹凸部材15を有するベルト３に用いるバックル１であって、バックル１の表板２の裏面には、ベルト案内部材６及び、ベルト位置固定部材４を設け、ベルト位置固定部材４は、表板の裏面の一側に対に設けた角軸支持脚間に回動自在に支持された角軸８と、前記角軸８に回動可能に支持された爪部材１３と、前記角軸８を被い角軸に軸方向のスリット１４ａを設けて嵌挿されている角筒状基部１４ｂを有し前記基部から突出した突片１４ｃを爪部材１３に当接して爪部材１３の爪１３ａを前記ベルト裏面の係止凹凸部材１５に当接係合するよう付勢した板バネ材１４と、よりなるものとした。【選択図】図５
0003152954.tif 000002
【実用新案登録請求の範囲】
【請求項１】
ベルトの幅方向に向き平行する複数の凹凸よりなる係止凹凸部材を有するベルトに用いるバックルであって、バックルの表板の裏面には、ベルト案内部材及び、ベルト位置固定部材を設け、ベルト位置固定部材は、表板の裏面の一側に対に設けた角軸支持脚間に回動自在に支持された角軸と、前記角軸に回動可能に支持された爪部材と、前記角軸を被い角軸に軸方向のスリットを設けて嵌挿されている角筒状基部を有し前記基部から突出した突片を爪部材に当接して爪部材の爪を前記ベルト裏面の係止凹凸部材に当接係合するよう付勢した板バネ材と、よりなることを特徴とするベルト用バックル。
【考案の詳細な説明】
【技術分野】
【０００１】
本考案は、ベルト用バックルに係わり、特にベルト内側面に係止用凹凸部を有し、該凹凸部に爪部材を係止することで所定長さの環状にベルトを確実に固定する事を可能にしたベルト用バックルに関する。
【背景技術】
【０００２】
端部にバックルを固定してなるベルトの先端部を該バックルに所定長さの環状となるよう挿入し、所望の位置でバックルとベルトを固定するベルト長調節手段が普通に用いられているが、その１つとして、ベルト裏面にベルトの幅方向に並行する複数の凹凸よりなる係止凹凸部を構成し、一方、ベルトを挿入するバックルには係止爪を設け、該係止爪を前記係止凹凸部に係止することで所望位置でベルトとバックルとを係止する位置決めの手段がある（特許文献１，２）。この手段では係止爪を係止凹凸部に突出させるために常時コイルスプリングにより係止爪を押圧しなければならず、また係止爪全幅で均等に付勢することはスプリングの数を増加しても、十分な安定はなかなか得られず、係止凹凸部におけるベルトの係止凹凸部材とバックルの爪部材との安定した固定は容易ではない。
【０００３】
コイルスプリングを使用しているバックルだと、ベルトの厚さによっては、バックルを通らなかったり、薄すぎてもベルトが止まらずに滑ってしまうなどの問題点があった。
又、コイルスプリングの押圧する力が常時それを納めているバックルの裏側の固定された蓋部分にかかり、その蓋がその圧力と使用中ベルトをゆるめる時にかかる圧力の両方に耐えきれず蓋が外れ、中のコイルスプリングが飛び出て不良品となる事態も生じた。
【先行技術文献】
【特許文献】
【０００４】
【特許文献１】登録実用新案第３０２４３２２号公報
【特許文献２】登録実用新案第３０５１５９５号公報
【考案の概要】
【考案が解決しようとする課題】
【０００５】
本考案は上記の点に鑑みて、ベルト裏面に設けた係止凹凸部材と、該係止凹凸部材に係止してベルトを望む長さの環状に固定する爪部材との係合が、安定してなされ、確実にバックルとバンドとの固定が行われ故障なく永く使用出来るようにすることを目的にする。
【課題を解決するための手段】
【０００６】
本考案は、ベルトの幅方向に向き平行する複数の凹凸よりなる係止凹凸部材を有するベルトに用いるバックルであって、バックルの表板の裏面には、ベルト案内部材及び、ベルト位置固定部材を設け、ベルト位置固定部材は、表板の裏面の一側に対に設けた角軸支持脚間に回動自在に支持された角軸と、前記角軸に回動可能に支持された爪部材と、前記角軸を被い角軸に軸方向のスリットを設けて嵌挿されている角筒状基部を有し前記基部から突出した突片を爪部材に当接して爪部材の爪を前記ベルト裏面の係止凹凸部材に当接係合するよう付勢した板バネ材と、よりなるものとした。
【考案の効果】
【０００７】
本考案のベルト用バックルは、裏面にベルトの幅方向に向き平行する複数の凹凸よりなる係止凹凸部材を有するベルトに用いるバックルであって、バックルの表板の裏面に、ベルト案内部材及びベルト位置固定部材を設け、ベルト位置固定部材は、表板の裏面の一側に対に設けた角軸支持脚間に回動自在に支持された角軸と、前記角軸に回動可能に支持された爪部材と、前記角軸を被い角軸に軸方向のスリットを設けて嵌挿されている角筒状基部を有し、前記基部から突出した突片を爪部材に当接して爪部材の爪を前記ベルト裏面の係止凹凸部材に当接係合するよう付勢した板バネ材とよりなるものとしたものであるため、ベルト裏面の係止凹凸部材と係止するベルト位置固定部材の爪部材がその基部全幅で角状部分が角柱と一体に嵌合している状態で嵌合しているために角軸と角筒間にぶれなどの妄動がなく、また、角軸に対する角筒の巻き付き状態により爪部材と係止凹凸部材との嵌合固定状体は常に安定しており、バンドの使用中にバンド緊締度が低下するというような事態は生じない。
また、コイルスプリング等の弾発力を使用するものに比し板バネ材のみの構造であるため故障なく永く、かつ、該部に埃等の付着もなく清潔に使用できる。
【図面の簡単な説明】
【０００８】
【図１】本考案バックルの正面図。
【図２】本考案バックルの背面図。
【図３】バンド端部固定片を開いた状態の本考案バックルの背面図。
【図４】バンド端部固定片を開いた状態の本考案バックルの底面図。
【図５】本考案バックルにベルトを固定した状態の横断面図。
【考案を実施するための形態】
【０００９】
本考案バックル１の形態を図面と共に次に説明する。
バックル１は表板２の裏面一側端縁２ａに、ベルト３のバックル側端部３ａを把持するベルト端部把持部材９及びベルト３の先端部３ｂの適宜部位をバックル１と固定するためのベルト固定部材４とを設け、表板２の裏面他側端縁２ｂにはベルト３に対しバックル１の位置を正しく保つよう保持するようベルト３をガイドする側面視コ字状のベルト案内部材６を、設けている。
【００１０】
ベルト固定部材４は、次の如く構成されている。
表板２の裏面の一側端縁２ａに対の角軸支持脚７，７を立て、その先端に角軸８を回動自在に支持する。角軸８はその両端の角軸支持脚７，７に支持されている部分は適宜構造により、角軸支持脚７，７に対し旋回動自在としているが、中間部分は、断面角形（図示の例では４角形）をなしている。角軸８には、ベルト端部把持部材９と、ベルト位置決め部材１０とを支持する。ベルト端部把持部材９は角軸８に揺動自在に支持されたベルト端部受板１１と、該受板１１に揺動自在に支持された爪板１２とよりなり、受板１１に添わせて受板１１上に置いたベルト３のバックル側端部３ａを、爪板１２を図４矢印方向に旋回することで爪板１２の爪１２ａをベルト端部３ａに喰い込ませ、ベルト３のバックル側端部３ａをバックル１に固定する。  
【００１１】
ベルト位置決め部材１０は、前記角軸８に小角度回動自在に支持された爪部材１３と、前記角軸８を被い角軸８に軸方向に延びるスリット１４ａを有して嵌挿されている角筒状基部１４ｂとを有し、前記角筒状基部１４ｂの中央部に突出した突片１４ｃを前記爪部材１３に当接して爪部材１３の爪１３ａを後述するベルト３の係止凹凸部材１５に係合させている。  
上記ベルト３の係止凹凸部材１５は、ベルト３の内側面中央の長手方向に延設されており、例えば合成樹脂の成形品等よりなり、当該部材をベルト中央部に長く設けられた凹陥部などに埋め込むなどして構成される。
【００１２】
本考案バックル１は、通常使用する際は図５に示す状態で使用される。即ち、ベルト位置固定部材４の爪部材１３の爪１３ａは係止凹凸部材１５の凹部１５ａと噛み合っており着用時にはベルト固定部材４は図５において左の方向に、また係止凹凸部材１５は右の方向に引かれる力が働いていることになる。従って、係止凹凸部材１５と係合しているベルト固定部材４との間においても同様の力関係が作用し、結果的には板バネ部材１４にあっては、角軸８に嵌合している角筒状基部１４ｂがスリット１４ａを締める方向への力を受けることにより、ベルト固定部材４の爪１３ａの係止力は強化されて、該部における係止作用に不安定な動作はなくなり、きちんとした緊締作用が行われることになる。  
【００１３】
ベルト３を緩める際には、手動でベルト３の先端部３ｂの係止凹凸部材１５の部分を持ち上げ、係止凹凸部材１５とベルト位置固定手段４の爪１３ａとの係合を解くような作動をし爪１３ａの自由度を高め爪部材１３は凸部１５ｂを越えて移動し、結果ベルトをゆるめることが出来る。  
【符号の説明】
【００１４】
１  バックル  
２  表板  
２ａ  一側端縁
２ｂ  他側端縁
３  ベルト  
３ａ  バックル側端部
３ｂ  先端部
４  ベルト位置固定部材  
６  ベルト案内部材
６ａ  ベルト挿通口  
７  角軸支持脚
８  角軸
９  ベルト端部把持部材
１０  ベルト位置決め部材
１１  ベルト端部受板
１２  爪板
１２ａ  爪
１３  爪部材
１３ａ  爪
１４  板バネ材
１４ａ  スリット
１４ｂ  角筒状基部
１４ｃ  突片
１５  係止凹凸部材
１５ａ  凹部
１５ｂ  凸部    
【図１】
0003152954.tif 000003
【図２】
0003152954.tif 000004
【図３】
0003152954.tif 000005
【図４】
0003152954.tif 000006
【図５】
0003152954.tif 000007